(57)【特許請求の範囲】
【請求項１】
エキスパンションジョイント内側の躯体間隙に装着される耐火帯の取付部であって、先端側に掛止部を有した掛止金具の元端側を耐火帯の長手一側辺に固着し、この掛止部を躯体側に固着した受金具の受部に躯体間隙長手方向に摺動自在に掛止し、この掛止部の外側に受金具上に固着した固定金具を被せることによって、掛止状態の離脱を防止するようにして取付けるエキスパンションジョイントの耐火帯取付部。
【請求項２】
エキスパンションジョイント内側の躯体間隙に装着される耐火帯において、耐火帯の長手一側辺を一方の躯体側に固着し、他方の側辺に先端側に掛止部を有した掛止金具の元端側を固着し、この掛止部を他方の躯体側に固着した受金具の受部に躯体間隙長手方向に摺動自在に掛止し、この掛止部の外側に受金具上に固着した固定金具を被せることによって、掛止状態の離脱を防止するようにして取付けることを特徴とするエキスパンションジョイントの耐火帯取付方法。
【発明の詳細な説明】
【０００１】
【発明の属する技術分野】
本発明は躯体間隙を被閉するためのエキスパンションジョイントと共に、躯体間隙に据えつけられる耐火帯の取付部及び取付方法に関する。
【０００２】
【従来の技術】
隣接する建物の躯体間隙を被閉するためにエキスパンションジョイント（以下単に「ジョイント」という）を設置する場合、このジョイントと共に、断熱或いは防災目的で図６に示す如く、耐火帯１０１を装着することがある。
この耐火帯１０１は、躯体間隙ａに掛け渡した間隙ａの長手方向（紙面の表裏の方向）に沿って長尺状のカバー材１０２及びベース体１０３を取付ける際に間隙ａ内に装着したもので、耐火帯１０１の間隙幅方向（図示のＸ方向）両端に固着した長手方向に長尺状の係止金具１０４、１０４を、躯体ｂの側面と対向する躯体ｃ側面とにボルト１０５，１０５で固定することにより装着されている。
【０００３】
【発明が解決しようとする課題】
しかし、この耐火帯１０１は、一般に断熱材としてアルミナセラミックス製のブランケットを使用しているため、躯体間隙に長手方向の変動が生じた場合に変動に追従して動くことができないという欠点がある。つまり、耐火帯１０１は長手方向に沿う直線部分の寸法をｌ、幅方向の湾曲部分に沿う寸法をｗ、幅方向に沿う直線寸法をｃとし、変位追従量をΔｙとした場合に、
Δｙ＝√（ｗ2 ＋ｌ2 −ｃ2 ）−ｌ
の追従量しか確保されなくなり、特にｌ、すなわち長手方向に沿う寸法を長くした場合にはほとんど動かずに途中で切断されてしまうという欠点があった。
【０００４】
そこで、本発明者は耐火帯に躯体の変動に伴う負荷をかけることなくその機能を発揮させるための取付部及び取付方法を提供することによって、上記問題点の解決を図るべく本発明をなしたものである。
【０００５】
【課題を解決するための手段】
上記課題を解決するために本発明は、エキスパンションジョイント内側の躯体間隙に装着される耐火帯の取付部であって、先端側に掛止部を有した掛止金具の元端側を耐火帯の長手一側辺に固着し、この掛止部を躯体側に固着した受金具の受部に躯体間隙長手方向に摺動自在に掛止し、この掛止部の外側に受金具上に固着した固定金具を被せることによって、掛止状態の離脱を防止するようにして取付けるエキスパンションジョイントの耐火帯取付部を特徴とする。
【０００６】
この取付部は、耐火帯を固着した掛止金具を受金具に掛止させると共に、その外側から固定金具を被せることによって、躯体間隙に装着した耐火帯の長手一側辺を間隙長手方向の変動に対する自由辺とすることができる。
【０００７】
また本発明は、エキスパンションジョイント内側の躯体間隙に装着される耐火帯において、耐火帯の長手一側辺を一方の躯体側に固着し、他方の側辺に先端側に掛止部を有した掛止金具の元端側を固着し、この掛止部を他方の躯体側に固着した受金具の受部に躯体間隙長手方向に摺動自在に掛止し、この掛止部の外側に受金具上に固着した固定金具を被せることによって、掛止状態の離脱を防止するようにして取付ける耐火帯の取付方法にも特徴がある。
【０００８】
この取付方法によると、耐火帯の長手一側辺を従来の方法で施工しても、他方の長手一側辺を間隙長手方向の変動に対する自由辺とすることができ、簡易な施工で課題を解決することができる。
【０００９】
【発明の実施の形態】
続いて、本発明にかかる耐火帯の取付部及びその取付方法の好適な実施形態について、図面を用いて説明する。
図１は隣接する躯体Ａ，Ｂの間隙Ｃ側垂直面に装着した耐火帯１について、その上方からみた平面図を示したものである。この耐火帯１は図示の通り、躯体Ａ側を本発明にかかる取付部２により、躯体Ｂ側を従来の受金具１０４及びボルト１０５によって各々装着してある。以下、取付部２を中心に説明する。
【００１０】
取付部２は、図２に示すように、耐火帯１の間隙長手方向に沿う長手一側辺に固着された掛止金具３と、これを受ける受金具４及び掛止金具３の外側に被せる固定金具５とから構成されている。
【００１１】
掛止金具３は図３に示すように、間隙Ｃの長手方向に沿う長尺状の部材であって、元端側に形成された断面Ｌ字形状を呈する耐火帯１の固定部３ａから直交する方向に立ち上げて平板部３ｂを形成し、この平板部３ｂの先端側を平板部３ｂとのなす角が鋭角を呈する方向に折り曲げることによって、掛止部３ｃとしたもので、固定部３ａと、別体の受金具３ｄとによって耐火帯１の側辺を挟み込ませることにより、耐火帯１の側辺を固着するものである。
なお、受金具３ｄは掛止金具３と別体の長尺状の部材とし、耐火帯１の側辺の厚みに関わらず容易に固着できるようにしたものである。
【００１２】
受金具４は掛止金具３と同様の長尺状の部材であって、躯体側面への固定面となる平板状の固定部４ａの一端部を、固定部４ａとのなす角が鋭角を呈する方向に折り曲げることによって、受部４ｂを形成したもので、受部４ｂに掛止金具３の掛止部３ｃを引っかけることにより、掛止金具３を掛止させることができるようになっている。
【００１３】
固定金具５は掛止金具３同様の長尺状の部材であって、躯体側面への固定面となる平板状の固定部５ａの一端部を略直交する方向に折曲げて平板部５ｂとし、この平板部５ｂの端部を固定部５ａと反対方向に向かう略直交する方向に折り曲げて被着部５ｃを形成してある。
【００１４】
以上の構成を有する取付部２によって、耐火帯１を装着するには以下のようにして行う。
先ず、受金具４の固定部４ａを躯体Ａの側面にボルト６で固定する。次いで、固定部３ａと、受金具３ｄとの間に耐火帯１の長手一側辺を挟み込んで受金具３ｄの外側からビス止めすることにより、予め耐火帯１を掛止金具３に固着しておき、この掛止金具３の掛止部３ｃを受部４ｂに掛止させる。さらに、平板部３ｂに対して間隙Ｃ側から被着部５ｃを被せながら固定部５ａ及び固定部４ａにボルト７を挿通し、これにより、固定金具５によって、掛止金具３と受金具４との掛止状態を維持しつつ、掛止金具３の離脱を防止することによって行う。
【００１５】
以上のように取付部２によって耐火帯１を施工する場合は耐火帯１の一側辺が躯体Ｂの側面に固着された状態でありながら、他側辺が躯体Ａの側面に固定されない自由辺となるので、耐火帯１に対して長手方向の変動に伴う負荷がかかることがない。
【００１６】
すなわち、取付部２は耐火帯１を固着した掛止金具３が受金具４とによる摺動自在な掛止状態を維持しながら耐火帯１を装着することができるので、間隙Ｃに長手方向の変動が生じた場合は掛止金具３が受金具４との掛止状態を維持しながら適宜スライドして変動を吸収し、これにより、耐火帯１の一側辺だけに負荷がかかることを防止することができるからである。したがって、間隙長手方向の変動が発生しても、耐火帯１は変動に無理なく追従することとなり、これによって耐火帯１は、途中で切断することなく、その機能を発揮することができる。
【００１７】
また、上記の実施例のように耐火帯１の一側辺だけに取付部２を施工する場合は、耐火帯１の長手一側辺を従来の方法で施工しても、他方の長手一側辺を摺動自在とし、間隙長手方向の変動に対する自由辺とすることができるので、簡易な施工でありながら耐火帯１に負荷をかけることなく、その機能を発揮させることができる。もちろん、上記の実施例と異なり、耐火帯１の両側辺に取付部２を施工するようにしても良い。
【図面の簡単な説明】
【図１】本発明にかかる取付部による耐火帯の装着状態を示す平面図である。
【図２】図１を要部拡大図である。
【図３】取付部を構成する掛止金具の一例を示す一部省略した斜視図である。
【図４】同じく、受金具を示す斜視図である。
【図５】同じく、固定金具を示す斜視図である。
【図６】従来の耐火帯の装着状態を示す一部省略した部分断面図である。
【符号の説明】
１        耐火帯
２        取付部
３        掛止金具
４        受金具
５        固定金具
【図１】
0003723286.tif 000002
【図２】
0003723286.tif 000003
【図３】
0003723286.tif 000004
【図４】
0003723286.tif 000005
【図５】
0003723286.tif 000006
【図６】
0003723286.tif 000007